(57)【要約】【課題】  可撓性を有するシートを用いた場合であっても、取付構造に弛みや歪み等が生じない、天井に取り付ける防煙壁及びその設置方法を提供する。【解決手段】  天井に沿って取り付けられたガイドレールと、前記ガイドレールに沿って摺動自在に吊り下げられた複数の側部フレームと、前記複数の側部フレームの間に取り付けられた複数の不燃性シートと、を含み、前記複数の不燃性シートは、前記複数の側部フレームの側面側に取り付けられることにより、左右方向に張力を付与された状態で取り付けられていることを特徴とする防煙壁。【選択図】図４
2018134132.tif 000002
【特許請求の範囲】
【請求項１】
天井に沿って取り付けられたガイドレールと、前記ガイドレールに沿って摺動自在に吊り下げられた複数の側部フレームと、前記複数の側部フレームの間に取り付けられた複数の不燃性シートと、を含む防煙壁であって、
前記複数の不燃性シートは、前記複数の側部フレームの側面側に取り付けられることにより、左右方向に張力を付与された状態で取り付けられている
ことを特徴とする防煙壁。
【請求項２】
前記複数の側部フレームは、前記複数の不燃性シートの上下方向の長さより長い長尺側部フレームを含む
ことを特徴とする請求項１に記載の防煙壁。
【請求項３】
天井に沿って取り付けられたガイドレールと、前記ガイドレールに沿って摺動自在に吊り下げられた複数の側部フレームと、前記複数の側部フレームの間に取り付けられた複数の不燃性シートと、を含む防煙壁を天井に取り付ける防煙壁の設置方法であって、
天井に沿って前記ガイドレールを取り付ける工程と、
前記複数の側部フレームのうちの１つに、前記複数の不燃性シートのうちの１つにおける左右方向の一端を取り付ける工程と、
前記側部フレームのうちの１つを、前記ガイドレールに取り付けて位置決めする工程と、
前記複数の側部フレームのうちの他の１つにおける一方の側面側に、前記不燃性シートのうちの１つにおける左右方向の他端を取り付ける工程と、
前記側部フレームのうちの他の１つを前記ガイドレールに取り付け、前記不燃性シートのうちの１つの左右方向に張力を付与するように位置決めする工程と、
前記側部フレームのうちの他の１つにおける他方の側面側に、前記複数の不燃性シートのうちの他の１つにおける左右方向の一端を取り付ける工程と、
前記複数の側部フレームのうちのさらに別の１つにおける一方の側面側に、前記不燃性シートのうちの他の１つにおける左右方向の他端を取り付ける工程と、
前記側部フレームのうちのさらに別の１つを前記ガイドレールに取り付け、前記不燃性シートのうちの他の１つの左右方向に張力を付与するように位置決めする工程と、
を含む方法。
【請求項４】
前記複数の側部フレームは、前記複数の不燃性シートの上下方向の長さより長い長尺側部フレームを含む
ことを特徴とする請求項３に記載の防煙壁の設置方法。
【発明の詳細な説明】
【技術分野】
【０００１】
本発明は、火災時に生じる煙が拡散するのを防止するために天井に設置される防煙壁及びその設置方法に関し、特に、可撓性を有する不燃性シートをフレームに取り付けた状態で天井に設置される防煙壁及びその設置方法に関する。
【背景技術】
【０００２】
例えば、オフィスビルや大型店舗等の建築物の室内で火災が発生した場合、当該火災により煙が生じて天井近傍に充満する。こうした煙が広範囲に拡散するのを防止するために、従来、天井から垂直に吊り下げられた防煙垂れ壁を設置する手法が採用されている。このような防煙垂れ壁には、天井付近の視野を妨げないように、一般的に板ガラス等の透明な板が用いられているが、当該透明な板は、設置する幅が大きくなると製造コストが増大するとともに取り扱いが難しくなり、また板ガラスを用いた場合には、地震等で破損した際に落下して粉々に飛散する等の問題がある。
【０００３】
こうした問題点を考慮して、例えば、特許文献１では、可撓性を有するシート材を巻き取った形態のシート材巻体を収容し且つ前記シート材引き出し用のスリットを備えたボックスと、該ボックスから間隔をあけた位置で天井面に垂直となるように配置されたシート材先端固定用の枠体と、前記ボックスと枠体との間に延びるように天井面に取り付けられたガイドレールを備え、前記シート材が前記ボックスから引き出され、シート材の上側の側縁を前記ガイドレールで案内され、先端を前記枠体に固定することで、前記ボックスと枠体の間に張られている防煙垂れ壁の構成が開示されている。
【先行技術文献】
【特許文献】
【０００４】
【特許文献１】特開２００７−２９１０９号公報
【発明の概要】
【発明が解決しようとする課題】
【０００５】
上記特許文献１に記載された防煙垂れ壁は、シート材巻体から引き出されたシート材が、例えばガラス繊維強化樹脂シート等の可撓性を有する材料で構成されているため、シート材には巻き取り方向への「巻き癖」が生じる。このため、ボックスから枠体までの引き出し距離が大きくなると、その中間領域には上記「巻き癖」が存在するため、たとえシート材の引き出された先端が上下方向に枠体に固定されたとしても、シート材に曲がりが生じて外観を損ねてしまうという新たな問題が生じる。
【０００６】
この点について、上記特許文献１では、シート材の曲がりや揺れを抑制するために、ボックスと枠体との間にピアノ線等の線材を張る構成や、中間領域にガイドレールと垂直に取り付けて上記シート材を挟む揺れ止め部材を設ける構成等も開示されている。しかしながら、これらの構成はいずれも曲がりや揺れの方向に対する規制手段に過ぎないものであり、シート材自体を強固に固定するものではないため、繰り返しの揺れや寒暖差による膨張及び収縮等が負荷されると、シート材の取付構造に弛みや歪み等が生じてしまう。
【０００７】
そこで、本発明の目的は、可撓性を有するシートを用いた場合であっても、取付構造に弛みや歪み等が生じない、天井に取り付ける防煙壁及びその設置方法を提供することにある。
【課題を解決するための手段】
【０００８】
上記課題を解決するために、本発明による防煙壁は、天井に沿って取り付けられたガイドレールと、前記ガイドレールに沿って摺動自在に吊り下げられた複数の側部フレームと、前記複数の側部フレームの間に取り付けられた複数の不燃性シートと、を含み、前記複数の不燃性シートは、前記複数の側部フレームの側面側に取り付けられることにより、左右方向に張力を付与された状態で取り付けられていることを特徴とする。
【０００９】
また、本発明による防煙壁の設置方法は、天井に沿って前記ガイドレールを取り付ける工程と、前記複数の側部フレームのうちの１つに、前記複数の不燃性シートのうちの１つにおける左右方向の一端を取り付ける工程と、前記側部フレームのうちの１つを、前記ガイドレールに取り付けて位置決めする工程と、前記複数の側部フレームのうちの他の１つにおける一方の側面側に、前記不燃性シートのうちの１つにおける左右方向の他端を取り付ける工程と、前記側部フレームのうちの他の１つを前記ガイドレールに取り付け、前記不燃性シートのうちの１つの左右方向に張力を付与するように位置決めする工程と、前記側部フレームのうちの他の１つにおける他方の側面側に、前記複数の不燃性シートのうちの他の１つにおける左右方向の一端を取り付ける工程と、前記複数の側部フレームのうちのさらに別の１つにおける一方の側面側に、前記不燃性シートのうちの他の１つにおける左右方向の他端を取り付ける工程と、前記側部フレームのうちのさらに別の１つを前記ガイドレールに取り付け、前記不燃性シートのうちの他の１つの左右方向に張力を付与するように位置決めする工程と、を含むことを特徴とする。
【００１０】
また、上記の発明において、前記複数の側部フレームは、前記複数の不燃性シートの上下方向の長さより長い長尺側部フレームを含むように構成してもよい。
【００１１】
かかる発明によれば、複数の不燃性シートについて、それぞれの左右方向の両端を複数の側部フレームに取り付けて張力を付与する構成としているため、可撓性を有するシートを用いた場合であっても、取付構造に弛みや歪み等を生じることがない。
【図面の簡単な説明】
【００１２】
【図１】本発明による防煙壁を室内に具体的に設置した例の概略を示す側面図である。
【図２】本発明の実施例１による第１の防煙壁の取付構造の概要を示す部分側面図である。
【図３】図２に示す取付構造の部分的な詳細を示す図であって、図３（ａ）は図１に示すＡ−Ａ線における断面図であり、図３（ｂ）は図２に示す側部フレームと不燃性シートとの関係を示す部分正面図であり、図３（ｃ）は図３（ａ）に示す領域Ｂ１の詳細を示す拡大図である。
【図４】実施例１による防煙壁を天井に取り付ける動作の概要を示す部分側面図であって、図４（ａ）は第１段階、図４（ｂ）は第２段階、図４（ｃ）は第３段階をそれぞれ示す。
【図５】本発明の実施例２による第２の防煙壁の取付構造の概要を示す部分側面図である。
【図６】図５に示す取付構造の部分的な詳細を示す図であって、図６（ａ）は図５に示す側部フレームの内部構造を示す分割図であり、図６（ｂ）は図５に示す領域Ｂ２の詳細を示す部分拡大図である。
【発明を実施するための形態】
【００１３】
以下、本発明による防煙壁及びその設置方法の具体例について図面を用いて説明する。
【００１４】
図１は、本発明による防煙壁を室内に具体的に設置した例の概略を示す側面図である。図１に示すように、本発明による防煙壁は、例えば、オフィスビルや大型店舗等の内部にある居室１０の天井部ＣＥに設置される第１の防煙壁１００及び第２の防煙壁２００からなる。居室１０は、例えば、フロア部ＦＲと天井部ＣＥと側壁部ＷＡとに囲まれた室内に、事務机ユニット２０や入退室用のドア３０等が設けられており、このような居室１０の内部を仕切るように、上記第１の防煙壁１００と第２の防煙壁２００とが、天井部ＣＥに吊り下げる形で設置される。
【００１５】
＜実施例１＞
図２は、本発明の実施例１による第１の防煙壁の取付構造の概要を示す部分側面図である。また、図３は、図２に示す取付構造の部分的な詳細を示す図であって、図３（ａ）は図１に示すＡ−Ａ線における断面図であり、図３（ｂ）は図２に示す側部フレームと不燃性シートとの関係を示す部分正面図であり、図３（ｃ）は図３（ａ）に示す領域Ｂ１の詳細を示す拡大図である。
【００１６】
図２に示すように、実施例１による防煙壁（第１の防煙壁）１００は、天井部ＣＥに沿って取り付けられたガイドレール１１０と、当該ガイドレール１１０に沿って摺動自在に吊り下げられた複数の側部フレーム１２０と、これら複数の側部フレーム１２０の間に取り付けられた複数の不燃性シート１３０と、を含む。そして、複数の不燃性シート１３０は、上記複数の側部フレーム１２０の側面側に取り付けられることにより、左右方向にそれぞれ張力を付与された状態で取り付けられている。
【００１７】
ガイドレール１１０は、図３（ａ）に示すように、例えばアルミ合金の押出材料等からなる断面略矩形の長尺部材であって、上面部１１２と、当該上面部１１２の幅方向両端に接続する側面部１１４と、これら側面部１１４の下端から幅方向内側にフランジ状に張り出す下面部１１６と、で構成されている。そして、対向する下面部１１６の間には図示上下側に向けた開口が形成されており、ガイドレール１１０の内部に後述する側部フレーム１２０の突合部１２２ｃ及び転動ローラ１２４を受ける閉空間が形成される。なお、側部フレーム１２０を取り付けるために、ガイドレール１１０は、図３（ａ）に示す上面部１１２の中心線で着脱自在に分割されていると好ましい。
【００１８】
側部フレーム１２０は、図３（ａ）に示すように、一対の板状部材である本体部１２２と、当該本体部１２２の上端の突合部１２２ｃを貫通して設けられる転動ローラ１２４と、上記一対の本体部１２２が対向する面内に収容される挟持部材１２６と、により構成されている。本体部１２２には、少なくともその両側部に、不燃性シート１３０を挿通させる薄肉部（開口部）１２２ａと、一対の本体部１２２が対向する面側の内部に長手方向に形成された２本の溝部１２２ｂと、その上端に位置し対向する面どうしが接触する突合部１２２ｃと、が形成されている。２本の溝部１２２ｂ内には、例えばゴム等の適度な剛性と弾性とを兼ね備えた挟持部材１２６が収容されている。ここで、挟持部材１２６は、図３（ｃ）に示すように、溝部１２２ｂの深さよりもやや大きく（すなわち一方の面が開口する薄肉部１２２ａ側に突出するように）形成されている。なお、挟持部材１２６は、溝部１２２ｂの長手方向の長さとほぼ同等に形成してもよいし、あるいは複数に分割するように配置してもよい（図３（ｂ）では、上下方向に２つの挟持部材１２６が配置された場合を例示している）。
【００１９】
不燃性シート１３０は、可撓性を有する無色透明なシート材であって、例えばガラス繊維を織り込んだガラス繊維織物に、無色透明な樹脂材料を含侵させてシート状にしたものを用いる。ここで、好適なガラス繊維としては、無アルカリ性ガラス繊維や高強度ガラス繊維等の透明度の高いガラス繊維が例示できる。また、好適な樹脂材料としては、ビニルエステル樹脂や不飽和ポリエステル樹脂、あるいはエポキシ樹脂等の耐熱性と機械的強度を兼ね備えた材料が例示できる。
【００２０】
不燃性シート１３０を取り付ける場合、図３（ｂ）に示すように、一方の本体部１２２に形成された一方の溝部１２２ｂに収容された挟持部材１２６の表面（接触面）に不燃性シート１３０の左右方向の一端を載置した状態で、対向する他方の本体部１２２を重ね合わせて固定する。このとき、重ね合わせた本体部１２２を、図示を省略した締結部材（ボルト等）で固定するとよい。すると、図３（ｃ）に示すように、対向する挟持部材１２６の接触面がスリット状に開口する薄肉部１２２ａ内にまで突出しているため、これらの間に挟まれた不燃性シート１３０は、表裏の接触面から挟持力Ｐを受けることとなり、強固な保持固定が可能となる。この状態で、突合部１２２ｃに転動ローラ１２４を挿通した後、側部フレーム１２０はガイドレール１１０に取り付けられる。
【００２１】
図４は、実施例１による防煙壁を天井に取り付ける動作の概要を示す部分側面図であって、図４（ａ）は第１段階、図４（ｂ）は第２段階、図４（ｃ）は第３段階をそれぞれ示す。第１の防煙壁１００を天井部ＣＥに取り付けるには、まず、図４（ａ）に示すように、天井部ＣＥに沿ってガイドレール１１０を取り付ける。続いて、第１の側部フレーム１２０に、第１の不燃性シート１３０の左右方向の一端を取り付け、この側部フレーム１２０を上記ガイドレール１１０に取り付けて位置決め固定する（第１段階）。このとき、第１の側部フレーム１２０は、側壁部ＷＡとの間に隙間を形成しないように位置決めするのが好ましい。
【００２２】
次に、図４（ｂ）に示すように、第１の不燃性シート１３０の左右方向の他端を第２の側部フレーム１２０の一方の側面側に取り付ける。続いて、第２の側部フレーム１２０を上記ガイドレール１１０に取り付け、引張力Ｆを負荷しつつ位置決め固定する。これにより、第１の不燃性シート１３０の左右方向に張力Ｔが付与された状態で強固に固定される。その後、第２の側部フレーム１２０の他方の側面側に、第２の不燃性シート１２０の左右方向の一端を取り付ける（第２段階）。
【００２３】
次に、第３の側部フレーム１２０の一方の側面側に、第２の不燃性シート１３０の左右方向の他端を取り付ける。続いて、第２段階の場合と同様に、第３の側部フレーム１２０を上記ガイドレールに取り付け、引張力Ｆを負荷しつつ位置決め固定する。これにより、第２の不燃性シート１３０の左右方向にも張力Ｔが付与された状態で強固に固定される（第３段階）。以後、取り付ける不燃性シート１３０の枚数が増える毎に、上記第２段階と第３段階の動作を繰り返す。なお、最後に取り付けられる側部フレーム１２０は、第１段階の場合と同様に、側壁部ＷＡとの間に隙間を形成しないように位置決めするのが好ましい。
【００２４】
かかる構成により、本発明の実施例１による防煙壁１００は、必要な長さに分割した不燃性シート１３０を、これらの左右両側に配置した複数の側部フレーム１２０で挟持した状態で、不燃性シート１３０に左右方向の張力を付与するように側部フレーム１２０を位置決め固定する構成としたため、可撓性を有するシートを用いた場合であっても、取付構造に弛みや歪み等を生じることがない。また従来は、例えば部屋の幅全体にシート材を張る場合に、巻体の不燃性シートを必要な長さだけ引き出して一体で使用していたため、シートの一部に破損が生じたりした際には、上記必要な長さの全体を交換する必要があったのに対して、本発明の防煙壁１００によれば、分割された不燃性シート１３０のみを交換するのみで済むため、設置後のメンテナンス等の負担も軽減できる。
【００２５】
＜実施例２＞
図５は、本発明の実施例２による第２の防煙壁の取付構造の概要を示す部分側面図である。また、図６は、図５に示す取付構造の部分的な詳細を示す図であって、図６（ａ）は図５に示す側部フレームの内部構造を示す分割図であり、図６（ｂ）は図５に示す領域Ｂ２の詳細を示す部分拡大図である。なお、本実施例２において、図１乃至図４に示した実施例１による防煙壁１００と同一あるいは共通する構成については、同一の符号を付して再度の説明を省略する。
【００２６】
図５に示すように、実施例２による防煙壁（第２の防煙壁）２００は、天井部ＣＥが、高い位置にある第１天井部ＣＥ１と、当該第１天井部ＣＥ１より低い位置に突出する第２天井部ＣＥ２と、を有するような、いわゆる段差を有する形状の場合に適用できる。すなわち、第２の防煙壁２００は、天井部ＣＥ１に沿って取り付けられたガイドレール１１０と、当該ガイドレール１１０に沿って摺動自在に吊り下げられた複数の側部フレーム１２０と、ガイドレール１１０の設置された領域に取り付けられた複数の不燃性シート１３０と、天井部ＣＥ２に沿って取り付けられたガイドレール２１０と、当該ガイドレール２１０に沿って摺動自在に吊り下げられた複数の側部フレーム２２０と、ガイドレール２１０の設置された領域に取り付けられた複数の不燃性シート２３０と、を含む。そして、複数の不燃性シート１３０及び２３０は、上記複数の側部フレーム１２０あるいは２２０の側面側に取り付けられることにより、左右方向にそれぞれ張力を付与された状態で取り付けられている。
【００２７】
ガイドレール２１０は、図３（ａ）に示したガイドレール１１０と同一の構成のものが適用できる。なお、図５においては、ガイドレール２２０に側部フレームが取り付けられていないものが例示されているが、第２天井部ＣＥ２の幅が大きい場合、中間領域に追加的な側部フレームを配置してもよい。また、ガイドレール２１０は、不燃性シート２３０の上端を収容することにより、当該不燃性シート２３０の上端と第２天井部ＣＥ２との間に隙間を形成しないようにできる機能も備えている。
【００２８】
側部フレーム２２０は、図６（ａ）に示すように、一対の板状部材である本体部２２２と、当該本体部２２２の上端の突合部２２２ｃを貫通して設けられる転動ローラ２２４と、上記本体部２２２が対向する面内に収容される挟持部材２２６と、により構成されている。本体部２２２には、少なくともその両側部に、不燃性シート２３０を挿通させる薄肉部（開口部）２２２ａと、一対の本体部１２２が対向する面側の内部に長手方向に形成された２本の溝部２２２ｂと、その上端に位置し対向する面どうしが接触する突合部２２２ｃと、が形成されている。ここで、本実施例２における側部フレーム２２０は、図５に示すように、その長手方向の長さが不燃性シート１３０及び２３０の上下方向の長さより大きくなるように設定されている。
【００２９】
２本の溝部２２２ｂ内には、実施例１と同様の挟持部材２２６が収容されている。ここで、挟持部材２２６は、図６（ａ）に示すように、その長手方向の長さが溝部２２２ｂの長手方向の長さよりも小さくなるように設定されている。これにより、挟持部材２２６は、溝部２２２ｂの長手方向に自由な位置取りとすることができる。そして、図６（ｂ）に示すように、側部フレーム２２０において、第１天井部ＣＥ１側（図示上右側）の溝部２２２ｂに収容された挟持部材２２６を上側に配置して不燃性シート１３０を挟持固定し、第２天井部ＣＥ２側（図示上左側）の溝部２２２ｂに収容された挟持部材２２６を下側に配置して不燃性シート２３０を挟持固定する。
【００３０】
かかる構成により、本発明の実施例２による防煙壁２００は、実施例１で示した効果に加えて、不燃性シート１３０あるいは２３０の上下方向の長さより長い長尺の側部フレーム２２０を用いることにより、例えば天井部ＣＥに段差が生じたような構造の部屋であっても、分割した不燃性シート２３０を隙間なく設置することができる。
【００３１】
以上、本発明による実施例及びこれに基づく変形例を説明したが、本発明は必ずしもこれらの例に限定されるものではない。また、当業者であれば、本発明の主旨又は添付した特許請求の範囲を逸脱することなく、様々な代替実施例及び改変例を見出すことができるであろう。
【００３２】
その一態様として、上記した実施例１及び実施例２では、防煙壁を一直線上に配置した場合を例示したが、本発明はこれに限定されるものではない。例えば、ガイドレールを天井部で９０°あるいは任意の角度で屈折させた場合、当該ガイドレールの屈曲部の位置に側部フレームを配置し、隣り合う側部フレームの間を上記屈曲角度に応じたアタッチメントにより結合する、あるいは不燃性シートを屈曲させて配置することにより、一直線上でない防煙壁の配置にも対応可能となる。
【００３３】
また、上記の実施例で示した側部フレームにおいて、挟持部材が溝部の幅とほぼ同一に形成されている場合を図示により例示したが、例えば挟持部材の側面にバネ等の弾性部材を取り付けて、溝部の内壁との間にバネ力を付与することにより、不燃性シートに補助的な張力を負荷するように構成してもよい。これにより、側部フレームを位置決め固定した後でも、不燃性シートに対する張力の微調整を行うことが可能となる。
【符号の説明】
【００３４】
１００、２００  防煙壁
１１０、２１０  ガイドレール
１１２  上面部
１１４  側面部
１１６  下面部
１２０、２２０  側部フレーム
１２２、２２２  本体部
１２２ａ、２２２ａ  薄肉部
１２２ｂ、２２２ｂ  溝部
１２２ｃ、２２２ｃ  突合部
１２４、２２４  転動ローラ
１２６、２２６  挟持部材
１３０、２３０  不燃性シート
【図１】
2018134132.tif 000003
【図２】
2018134132.tif 000004
【図３】
2018134132.tif 000005
【図４】
2018134132.tif 000006
【図５】
2018134132.tif 000007
【図６】
2018134132.tif 000008